(57)【要約】【課題】  ボルト等の雄ネジ部材に横から差し込めることはもとより、分割ナットや開閉式ナットが開口するのを防止でき、締め付けたナットの緩み止め効果を高めるととともに、位置ズレや脱落を防止することができる差込ワッシャーを提供する。【解決手段】  ボルト等の雄ネジ部材２に横から差し込み可能な差込ワッシャー１Ａであって、当該差込ワッシャー１Ａが幅方向に分断されてなる分断開閉部１２と、この分断開閉部１２を上下に開閉させる支点として変形可能に小幅に形成された開閉支点部１３とを有しており、差込ワッシャー１Ａの上面には、雄ネジ部材２を挿通させる挿通孔１１の周縁部に沿って略円弧状に突出形成され、かつ、その外周縁側から内周縁側に向けて下方傾斜された略テーパ状のナット係合部１４が設けられている。
2010089894.tif 000002
【特許請求の範囲】
【請求項１】
ボルト等の雄ネジ部材に横から差し込み可能な差込ワッシャーであって、
当該差込ワッシャーが、幅方向に分断されてなる分断開閉部と、この分断開閉部を上下に開閉させる支点として変形可能に小幅に形成された開閉支点部とを有しており、
前記差込ワッシャーの上面には、前記雄ネジ部材を挿通させる挿通孔の周縁部に沿って略円弧状に突出形成され、かつ、その外周縁側から内周縁側に向けて下方傾斜された略テーパ状のナット係合部が設けられている差込ワッシャー。
【請求項２】
ボルト等の雄ネジ部材に横から差し込み可能な差込ワッシャーであって、
当該差込ワッシャーが、前記雄ネジ部材を挿通させる挿通孔の孔径寸法と略同一の寸法幅で幅方向に分断開口された差込開口部を有しており、
前記差込ワッシャーの上面には、前記挿通孔の周縁部に沿って略円弧状に突出形成され、かつ、その外周縁側から内周縁側に向けて下方傾斜された略テーパ状のナット係合部が設けられている差込ワッシャー。
【請求項３】
請求項２において、前記差込ワッシャーは、その下面に前記ナット係合部の略円弧形状に合わせて凹状に形成された円弧状収容凹部を有しているとともに、この差込ワッシャーと組み合わせて使用される補助ワッシャーを有しており、
前記補助ワッシャーは、前記雄ネジ部材を挿通させる補助側挿通孔の孔径寸法と略同一の寸法幅でその幅方向に分断開口された補助側差込開口部を有しており、
前記補助ワッシャーの上面には、前記差込ワッシャーの差込開口部と略同一の寸法幅であって、前記差込ワッシャーのナット係合部と略同一の曲率半径を有する略円弧状の補助側ナット係合部が突出形成されており、
この補助側ナット係合部以外の上面には、前記差込ワッシャーの円弧状収容凹部内に収容可能な円弧状収容凸部が形成されている差込ワッシャー。
【請求項４】
ボルト等の雄ネジ部材に横から差し込み可能な差込ワッシャーであって、
当該差込ワッシャーは、同一形状に形成された一対のワッシャーピースを組み合わせて構成されており、
各ワッシャーピースは、前記雄ネジ部材を挿通させる挿通孔の位置で幅方向に分断開口された差込開口部を有しているとともに、この差込開口部を構成する両端部に他方のワッシャーピースと相互に嵌合する嵌合凹部と嵌合凸部とをそれぞれ有しており、かつ、前記ワッシャーピースの上下面には、前記差込開口部の周縁に沿って略円弧状に突出形成され、その外周縁側から内周縁側に向けて下方傾斜された略テーパ状のナット係合部が設けられている差込ワッシャー。
【発明の詳細な説明】
【技術分野】
【０００１】
本発明は、ボルト等の雄ネジ部材に横から差し込み可能な差込ワッシャーに関するものである。
【背景技術】
【０００２】
一般に、ナットが被締結物に食い込むのを防止したり、緩み止めのために、被締結物とナットとの間にワッシャーが介在されている。しかしながら、両端が閉鎖されている雄ネジ部材に対しては、ワッシャーを横からしか組み込むことができないという問題がある。また、ワッシャーを介在させるのを忘れてナットを締め付けてしまった場合、一旦締め付けたナットを取り外した上で雄ネジ部材にワッシャーを挿通しなければならず、作業効率が低下してしまうという問題もある。【０００３】
このため、従来、ボルト等の雄ネジ部材に横から差し込み可能なワッシャーが提案されている。例えば、特開２００６−３１６８３１号公報に記載の開閉片付き座金は、座金の挿入穴から外径部へ切り抜き、この切り抜いた線に沿って左右にスリット溝を設け、該スリット溝の底部を屈曲可能とする開閉片を設けてなるものである（特許文献１）。これにより、横から着脱自在に挿入でき、座金のズレや脱落を防止できるとされている。
【先行技術文献】
【０００４】
【特許文献１】特開２００６−３１６８３１号公報
【発明の開示】
【発明が解決しようとする課題】
【０００５】
しかしながら、特許文献１に記載された発明においては、締め付けたナットを緩み止めするための構成については特段に配慮されておらず、緩み止め効果が低い。このため、たとえ強固にナットを締め付けたとしても、継続的に振動や衝撃を受ける場所での使用や長期間にわたる使用によりナットが緩んでしまって締め付け効果が低下するという問題がある。【０００６】
また、特許文献１の従来技術にも記載されているように、単に、挿入穴に連通するように一部を切り抜いて横から挿入可能とする座金も知られている。しかしながら、このような座金は、ナットが少しでも緩んでしまった場合、ボルトからずれたり、脱落してしまうおそれがある。【０００７】
さらに、特許文献１に記載の座金においては、開閉片を屈曲可能に構成するため、スリット溝の肉厚を極めて薄く（０．１〜０．３ｍｍ）形成している。このため、そのスリット溝で折れやすく、作業者は慎重に扱わなければならないが、一般に作業現場では締結作業等が急いで進められているため、ワッシャーの取り扱いを慎重にさせるのは不便である。また、開閉片を複数回開閉させるとスリット溝が金属疲労を起こし、すぐに破断してしまうおそれもある。よって、再利用することが求められる現場での使用には不向きである。【０００８】
本発明は、このような問題点を解決するためになされたものであって、ボルト等の雄ネジ部材に横から差し込めることはもとより、分割ナットや開閉式ナットが開口するのを防止でき、締め付けたナットの緩み止め効果を高めるととともに、位置ズレや脱落を防止することができる差込ワッシャーを提供することを目的としている。
【課題を解決するための手段】
【０００９】
本発明に係る差込ワッシャーは、ボルト等の雄ネジ部材に横から差し込み可能な差込ワッシャーであって、当該差込ワッシャーが、幅方向に分断されてなる分断開閉部と、この分断開閉部を上下に開閉させる支点として変形可能に小幅に形成された開閉支点部とを有しており、前記差込ワッシャーの上面には、前記雄ネジ部材を挿通させる挿通孔の周縁部に沿って略円弧状に突出形成され、かつ、その外周縁側から内周縁側に向けて下方傾斜された略テーパ状のナット係合部が設けられている。【００１０】
また、本発明に係る差込ワッシャーは、ボルト等の雄ネジ部材に横から差し込み可能な差込ワッシャーであって、当該差込ワッシャーが、前記雄ネジ部材を挿通させる挿通孔の孔径寸法と略同一の寸法幅で幅方向に分断開口された差込開口部を有しており、前記差込ワッシャーの上面には、前記挿通孔の周縁部に沿って略円弧状に突出形成され、かつ、その外周縁側から内周縁側に向けて下方傾斜された略テーパ状のナット係合部が設けられている。【００１１】
また、本発明において、請求項２において、前記差込ワッシャーは、その下面に前記ナット係合部の略円弧形状に合わせて凹状に形成された円弧状収容凹部を有しているとともに、この差込ワッシャーと組み合わせて使用される補助ワッシャーを有しており、前記補助ワッシャーは、前記雄ネジ部材を挿通させる補助側挿通孔の孔径寸法と略同一の寸法幅でその幅方向に分断開口された補助側差込開口部を有しており、前記補助ワッシャーの上面には、前記差込ワッシャーの差込開口部と略同一の寸法幅であって、前記差込ワッシャーのナット係合部と略同一の曲率半径を有する略円弧状の補助側ナット係合部が突出形成されており、この補助側ナット係合部以外の上面には、前記差込ワッシャーの円弧状収容凹部内に収容可能な円弧状収容凸部が形成されていてもよい。【００１２】
本発明に係る差込ワッシャーは、ボルト等の雄ネジ部材に横から差し込み可能な差込ワッシャーであって、当該差込ワッシャーは、同一形状に形成された一対のワッシャーピースを組み合わせて構成されており、各ワッシャーピースは、前記雄ネジ部材を挿通させる挿通孔の位置で幅方向に分断開口された差込開口部を有しているとともに、この差込開口部を構成する両端部に他方のワッシャーピースと相互に嵌合する嵌合凹部と嵌合凸部とをそれぞれ有しており、かつ、前記ワッシャーピースの上下面には、前記差込開口部の周縁に沿って略円弧状に突出形成され、その外周縁側から内周縁側に向けて下方傾斜された略テーパ状のナット係合部が設けられている。
【発明の効果】
【００１３】
本発明によれば、ボルト等の雄ネジ部材に横から差し込めることはもとより、分割ナットや開閉式ナットが開口するのを防止でき、締め付けたナットの緩み止め効果を高めるととともに、位置ズレや脱落を防止することができる。
【図面の簡単な説明】
【００１４】
【図１】本発明に係る差込ワッシャーの第１実施形態を示す斜視図である。
【図２】本第１実施形態で使用する差込ナットを示す斜視図である。
【図３】本第１実施形態の差込ワッシャーを締め付けた状態を示す断面図である。
【図４】本発明に係る差込ワッシャーの第２実施形態を示す斜視図である。
【図５】本第２実施形態の差込ワッシャーを締め付けた状態を示す断面図である。
【図６】本発明に係る差込ワッシャーの第３実施形態を示す斜視図である。
【図７】本第３実施形態の補助ワッシャーを示す斜視図である。
【図８】本第３実施形態の差込ワッシャーを締め付けた状態を示す断面図である。
【図９】本発明に係る差込ワッシャーの第４実施形態を示す斜視図である。
【図１０】本第４実施形態の差込ワッシャーを締め付けた状態を示す断面図である。
【発明を実施するための形態】
【００１５】
以下、本発明に係る差込ワッシャーの第１実施形態について図面を用いて説明する。
【００１６】
図１に示すように、本第１実施形態の差込ワッシャー１Ａは、主として、雄ネジ部材２を挿通させる挿通孔１１と、差込ワッシャー１Ａを開閉させるように分断された分断開閉部１２と、この分断開閉部１２を開閉させるための開閉支点部１３と、ナット３に係合するナット係合部１４とを有している。以下、各構成部についてより詳細に説明する。
【００１７】
挿通孔１１は、ボルト等の雄ネジ部材２を挿通させるための孔であり、雄ネジ部材２の直径よりもやや大径に形成されている。なお、本発明において、雄ネジ部材２とは、ボルト等のように、棒状または筒状に形成され、外周面に雄ネジを有している全てのものを含む。
【００１８】
分断開閉部１２は、差込ワッシャー１Ａを雄ネジ部材２に横から差し込めるように開閉するものである。たとえば、この分断開閉部１２は、図１に示すように、差込ワッシャー１Ａが幅方向に分断ないし容易に分断可能に構成されている。また、本第１実施形態において、分断開閉部１２によって分断された一端面には、膨拡凸部１２ａが突出形成されており、この膨拡凸部１２ａをほぼ隙間なく嵌合させる膨拡凹部１２ｂが他端面に形成されている。
【００１９】
開閉支点部１３は、分断開閉部１２を上下方向に開閉し易くするためのものである。具体的には、開閉支点部１３は、図１に示すように、分断開閉部１２を上下に開閉させる支点として変形可能に小幅に形成されている。前記開閉支点部１３の形成位置は、特に限定されないが、本第１実施形態においては、挿通孔１１を基準として分断開閉部１２と略対称位置に形成している。なお、開閉支点部１３の幅は、分断開閉部１２を開閉し易く、かつ、複数回開閉させても破断しない程度の幅に設定される。また、開閉支点部１３は、小幅に形成することによらず、回動可能な部材を介して開閉可能に構成してもよい。
【００２０】
ナット係合部１４は、ナット３に係合して緩み止め効果を高めるためのものである。本第１実施形態では、図１および図３に示すように、差込ワッシャー１Ａの上面において、一対のナット係合部１４，１４が、挿通孔１１の周縁部に沿って略円弧状に突出形成されている。また、各ナット係合部１４，１４は、ナット３の寸法公差に関係なく軸心方向へ移動するため、その外周縁側から内周縁側に向けて下方傾斜された略テーパ状に形成されている。
【００２１】
このような略円弧状であって略テーパ状の傾斜面を有することにより、ナットと当接する作用面が十分に確保され、ナットに対して締め付け効果を高めるとともに、差込ワッシャー１Ａにとっても分断開閉部１２に閉鎖方向へ締め付ける力が作用するため、相乗的に緩み止め効果を高めることが可能となる。換言すれば、ナット係合部１４は、ナット３を締め付けた際にそのテーパ状傾斜面において当該ナット３と係合するように大きさや傾斜角が定められている。
【００２２】
なお、本発明に係るナット係合部１４は、上記の構成に限定されるものではなく、少なくともナット３の対称線に関して両側に、周方向に連続したナット係合部１４、または複数のナット係合部１４が配置されていればよい。また、そのナット係合部１４の長さも適宜選択してよい。
【００２３】
つぎに、以上のような構成を備えた本第１実施形態における差込ワッシャー１Ａの作用について説明する。
【００２４】
まず、本第１実施形態では、雄ネジ部材２に螺合するナット３として、図２に示すような差込ナット３を使用している。この差込ナット３は、屈曲可能な薄肉部３１を残すように切り込み３２が形成されている。このため、指の力で簡単に開閉することができ、雄ネジ部材２の所望の位置に途中から差し込んで螺合させられるようになっている。また、差込ナット３の上下面には、外周縁に沿ってテーパ部３３が形成されている。なお、薄肉部３１は、１．０ｍｍ以下に形成することが好ましい。また、差込ナット３は、市販品に切り込み加工してからメッキ等の処理を施すだけで安価に製造できる。
【００２５】
なお、差込ナット３の構成は、上記に限られるものではなく、一対のナット片を組み合わせてなる分割ナットや、ヒンジピン等により開閉可能に構成された開閉式ナット等のように、横から差し込み可能な差込ナット３であればよい。このような差込ナット３を本発明に係る差込ワッシャー１Ａと合わせて使用することで、より作業性のよい締結力にすぐれたファスナーが構成されることになる。
【００２６】
本第１実施形態の差込ワッシャー１Ａを被締結物Ｘと差込ナット３との間に介在させて締め付ける場合、まず、雄ネジ部材２に横から差込ワッシャー１Ａを差し込んだ後、雄ネジ部材２に差込ナット３を螺合させる。このとき、分断開閉部１２の一方と他方に上下方向の力を加えると、図１に示すように、開閉支点部１３を支点にして容易に上下に開口する。これにより、分断開閉部１２を雄ネジ部材２の径以上に開口させれば、所望の位置に差込ワッシャー１Ａが迅速に介在される。なお、差込ワッシャー１Ａは、図１に示すように、予め上下に開口させた状態で流通させて、使用時には雄ネジ部材２に差し込んで閉じるだけの構成にしてもよい。
【００２７】
また、本第１実施形態では、差込ナット３を使用しているため、差込ワッシャー１Ａと差込ナット３との取り付け順序はどちらからでもよい。しかしながら、通常の六角ナットを使用する場合であっても、差込ワッシャー１Ａは、雄ネジ部材２に横から差し込んで取り付けられる。このため、六角ナットを先に締め付けてしまっても、それを取り外すことなく差込ワッシャー１Ａを介在させることができ、締め付け作業が効率化および迅速化する。
【００２８】
また、本第１実施形態の差込ワッシャー１Ａおよび差込ナット３は、例えば、軸線方向に垂設された２本の長い雄ネジ部材２と、これら雄ネジ部材２にその両端をナットとワッシャーで固定される複数の支持部材とからなる棚等に使用するのに好適である。具体的には、雄ネジ部材２の両端が塞がれていても、差込ワッシャー１Ａを横から差し込むことができるため、差込ナット３と合わせて用いれば支持部材を所望の位置に固定できる。このため、既に固定済みのナット３やワッシャーを取り外すことなく支持部材を増設しうる。また、既に固定済みのナット３やワッシャーを取り外すことなく不要となった支持部材を削除することもできる。
【００２９】
さらに、本第１実施形態では、分断開閉部１２を閉じる際、膨拡凸部１２ａと膨拡凹部１２ｂとが、ほぼ密接状態で嵌合する。このため、差込ワッシャー１Ａは、水平方向へ拡げられる力が加わっても開口してしまうことがない。また、後述するように、差込ナット３の締め付けに伴って、ナット係合部１４に拡開方向の力が加わっても、容易に開口してしまうことがない。
【００３０】
つぎに、差込ナット３を締め付け方向に回転させると、軸線方向に沿って下方に螺進し差込ワッシャー１Ａに当接する。このとき、テーパ状に形成された各ナット係合部１４が、寸法公差に関係なく差込ナット３を軸心方向へ移動させるため、締め付け度合いを増大させ緩み止め効果を向上する。
【００３１】
また、本第１実施形態では、各ナット係合部１４が、締め付け動作に伴って差込ナット３のテーパ部３３から拡開方向の力を受けるため、差込ナット３のテーパ部３３に対し閉じる方向の反作用力を付与する。これにより、締め付け中に差込ナット３が開いてしまうことがなく、より強固に締結される。
【００３２】
差込ナット３をさらに強く締め付けると、螺進しなくなった状態で締め付け作業が完了する。この状態では、図３に示すように、差込ナット３の下面が差込ワッシャー１Ａの上面に密着するとともに、差込ナット３のテーパ部３３がナット係合部１４のテーパ状の傾斜面に密着した状態で固定される。これにより、差込ワッシャー１Ａと差込ナット３との間に発生する摩擦抵抗が高められ、緩み止め効果がより高められる。
【００３３】
また、本第１実施形態では、ナット係合部１４が、差込ナット３のテーパ部３３に係合するため、差込ナット３が拡開してしまうのを防止する。さらに、仮に差込ナット３が多少緩んでしまっても、ナット係合部１４が、差込ナット３のテーパ部３３に引っ掛かるため、差込ワッシャー１Ａが位置ズレしたり脱落してしまうのを防止する。
【００３４】
以上のような本第１実施形態によれば、以下のような効果を奏する。
１．ボルト等の雄ネジ部材２に横から差し込んで所望の位置に取り付けることできる。
２．両端が塞がれている雄ネジ部材２に対しても横から取り付けることができる。
３．ワッシャーを介在させるのを忘れて六角ナットを締め付けてしまった場合でも、当該六角ナットを取り外す必要がなく、締め付け作業を効率化および迅速化できる。
４．ナット３の寸法公差を吸収し、緩み止め効果を向上することができる。
５．差込ワッシャー１Ａの位置ズレや脱落を防止することができる。
６．締め付け動作に連動させて差込ナット３を閉じることができ、締め付けた差込ナット３の拡開を防止することができる。
７．分断開閉部１２が不用意に開口するのを防止することができる。
【００３５】
つぎに、本発明に係る差込ワッシャー１Ｂの第２実施形態について図面を参照しつつ説明する。なお、上述した第１実施形態の構成と同等または相当する構成については同一の符号を付し、再度の説明を省略する。
【００３６】
本第２実施形態の差込ワッシャー１Ｂの特徴は、図４に示すように、第１実施形態の構成のうち、分断開閉部１２および開閉支点部１３の代わりに、差込開口部１５を有している点にある。
【００３７】
差込開口部１５は、差込ワッシャー１Ｂを雄ネジ部材２に横から差し込むための開口である。本第２実施形態において、差込開口部１５は、図４に示すように、差込ワッシャー１Ｂが幅方向に雄ネジ部材２を挿通させる挿通孔１１の孔径寸法と略同一の寸法幅で分断開口されている。
【００３８】
また、差込ワッシャー１Ｂの上面には、図４および図５に示すように、挿通孔１１の周縁部に沿って略円弧状のナット係合部１４が突出形成されている。本第２実施形態において、ナット係合部１４は、第１実施形態と同様、その外周縁側から内周縁側に向けて下方傾斜された略テーパ状に形成されており、この内側にナット３が座するようになっている。
【００３９】
なお、本第２実施形態において、差込ワッシャー１Ｂには、後述する第３実施形態で組み合わされる補助ワッシャー５の円弧状収容凸部５４を遊嵌させる円弧状収容凹部１６が形成されている。この円弧状収容凹部１６は、図４および図５に示すように、差込ワッシャー１Ｂの下面において、ナット係合部１４の略円弧形状に合わせて凹状に形成されている。
【００４０】
以上の構成を備えた本第２実施形態の差込ワッシャー１Ｂを被締結物Ｘと差込ナット３との間に介在させて締め付ける場合、まず、雄ネジ部材２に横から差込ワッシャー１Ｂを差し込んだ後、雄ネジ部材２に差込ナット３を螺合させる。このとき、差込開口部１５は雄ネジ部材２を容易に挿通孔１１へ導入し、差込ワッシャー１Ｂを所望の位置に迅速に介在させられる。
【００４１】
つぎに、差込ナット３を締め付け方向に回転させると、軸線方向に沿って下方に螺進し差込ワッシャー１Ｂに当接する。このとき、ナット係合部１４のテーパ状傾斜面によって、寸法公差に関係なく差込ナット３を軸心方向へ移動させられるため、締め付け度合いを増大させて緩み止め効果を向上させられる。
【００４２】
さらに、差込ナット３を強く締め付けると、螺進しなくなった状態で締め付け作業が完了する。このとき、差込ワッシャー１Ｂの差込開口部１５と、差込ナット３の切り込み３２とが略直交する位置関係にて止めると、差込開口部１５と切り込み３２とが互いに閉口する力を作用させるため、緩み難くできる。なお、締め付けに際しては、差込ワッシャー１Ｂの差込開口部１５と、差込ナット３の切り込み３２とが略直交した状態で、両者を同時に締め付けるようにしてもよい。
【００４３】
また、本第２実施形態では、差込ワッシャー１Ｂの下面に円弧状収容凹部１６が形成されているため、締め付け完了時に、差込ワッシャー１Ｂの下面が被締結物Ｘ側へ押されるように弾性変形させてもよい。この弾性力による反発力を差込ナット３が受けて、振動や衝撃に対する緩み止め効果を向上させられる。さらに、締め付け完了後は、図５に示すように、差込ナット３の下面が差込ワッシャー１Ｂの上面に密着するとともに、差込ナット３のテーパ部３３がナット係合部１４に密着した状態で固定される。これにより、差込ワッシャー１Ｂと差込ナット３との間に発生する摩擦抵抗が高められ、緩み止め効果がより一層向上する。
【００４４】
以上のような本第２実施形態によれば、第１実施形態の効果１〜６に加えて、以下のような効果を奏する。
１．差込ワッシャー１Ｂが簡単な構造であるため安価に製造できる。
２．雄ネジ部材２に対して極めて差し込みし易い。
３．差込開口部１５を大きく開口させているが、差込ナット３の締め付け位置を直交させることによって緩み止め効果を十分に発揮させられる。
４．差込ワッシャー１Ｂの円弧状収容凹部１６を弾性変形させるように差込ナット３を締め付けることで緩み止め効果を向上することができる。
【００４５】
つぎに、本発明に係る差込ワッシャー１Ｃの第３実施形態について図面を参照しつつ説明する。なお、上述した第１実施形態および第２実施形態の構成と同等または相当する構成については同一の符号を付し、再度の説明を省略する。
【００４６】
本第３実施形態の差込ワッシャー１Ｃの特徴は、図６に示すように、第２実施形態の差込ワッシャー１Ｂと組み合わせて使用する補助ワッシャー５を有している点にある。
【００４７】
補助ワッシャー５は、図６および図７に示すように、主として、雄ネジ部材２を挿通させる補助側挿通孔５１と、この補助側挿通孔５１に雄ネジ部材２を横から差し込ませる補助側差込開口部５２と、ナット３に係合する補助側ナット係合部５３と、差込ワッシャー１Ｂと組み合わせるための円弧状収容凸部５４とを有している。
【００４８】
補助側差込開口部５２は、補助ワッシャー５を雄ネジ部材２に横から差し込むための開口である。本第３実施形態において、補助側差込開口部５２は、図７に示すように、その幅方向に雄ネジ部材２を挿通させる補助側挿通孔５１の孔径寸法と略同一の寸法幅で分断開口されている。換言すれば、当該補助側差込開口部５２は、前述した差込ワッシャー１Ｂの差込開口部１５と等しい形状に形成されている。
【００４９】
補助側ナット係合部５３は、ナット３に係合して緩み止め効果を向上するためのものである。本第３実施形態において、補助側ナット係合部５３は、図６および図７に示すように、補助ワッシャー５の上面において、差込ワッシャー１Ｂの差込開口部１５と略同一の寸法幅であって、差込ワッシャー１Ｂのナット係合部１４と略同一の曲率半径を有する略円弧状に突出形成されている。
【００５０】
円弧状収容凸部５４は、差込ワッシャー１Ｂの下面に設けられた円弧状収容凹部１６と重ねて組み合わせるものである。すなわち、本第３実施形態では、図５に示すように、差込ワッシャー１Ｂの下面には、ナット係合部１４の裏側に沿って円弧状収容凹部１６が設けられている。そして、この円弧状収容凹部１６に下方から遊嵌するように、補助側ナット係合部５３以外の上面に円弧状収容凸部５４が突出形成されている。この円弧状収容凸部５４は、図７に示すように、差込ワッシャー１Ｂの円弧状収容凹部１６内に重ねられて収容可能な形状に形成されている。
【００５１】
以上の構成を備えた本第３実施形態の差込ワッシャー１Ｃを被締結物Ｘと差込ナット３との間に介在させて締め付ける場合、まず、雄ネジ部材２に横から差込ワッシャー１Ｂおよび補助ワッシャー５を差し込んだ後、雄ネジ部材２に差込ナット３を螺合させる。このとき、差込ワッシャー１Ｂを雄ネジ部材２の上方に差し込む一方、この差込方向と逆方向から補助ワッシャー５を雄ネジ部材２の下方に差し込む。
【００５２】
そして、差込ワッシャー１Ｂと補助ワッシャー５とを上下に重ね合わせると、補助側ナット係合部５３が、差込ワッシャー１Ｂの差込開口部１５に嵌合する。これにより、図６に示すように、差込開口部１５が閉じられるとともに、ナット係合部１４と補助側ナット係合部５３とが周方向に連続的に構成される。また、補助ワッシャー５の円弧状収容凸部５４が、差込ワッシャー１Ｂの円弧状収容凹部１６に遊嵌するため、差込ワッシャー１Ｂと補助ワッシャー５との位置ズレや脱落を相互に防止する。
【００５３】
つぎに、差込ナット３を締め付け方向に回転させると、軸線方向に沿って下方に螺進し差込ワッシャー１Ｃに当接する。このため、ナット係合部１４および補助側ナット係合部５３の各テーパ状傾斜面が、寸法公差に関係なく差込ナット３を軸心方向へ移動させるため、締め付け度合いを増大させ緩み止め効果を向上する。
【００５４】
さらに、差込ナット３を強く締め付けると、螺進しなくなった状態で締め付け作業が完了する。この状態では、図８に示すように、差込ナット３の下面が差込ワッシャー１Ｂおよび補助ワッシャー５の上面に密着するとともに、差込ナット３のテーパ部３３がナット係合部１４および補助側ナット係合部５３に密着した状態で固定される。これにより、差込ワッシャー１Ｂおよび補助ワッシャー５と差込ナット３との間に発生する摩擦抵抗が高められ、緩み止め効果が向上する。
【００５５】
なお、本第３実施形態では、補助ワッシャー５の下面にも、円弧状収容凸部５４の裏側に沿って凹状の空間が形成されている。このため、締め付け完了時に、補助ワッシャー５の下面が被締結物Ｘ側に押し出すように弾性変形させてもよい。この弾性力による差込ナット３への反発力によって、振動や衝撃に対する緩み止め効果がより一層向上する。
【００５６】
以上のような本第３実施形態によれば、第２実施形態の効果に加えて、以下のような効果を奏する。
１．ナット係合部１４および補助側ナット係合部５３を周方向に連続的に構成されるため、緩み止め効果を向上することができる。
２．差込ワッシャー１Ｂと補助ワッシャー５とを組み合わせることで、相互に位置ズレや脱落を防止することができる。
【００５７】
つぎに、本発明に係る差込ワッシャー１Ｄの第４実施形態について図面を参照しつつ説明する。なお、上述した第１実施形態から第３実施形態の構成と同等または相当する構成については同一の符号を付し、再度の説明を省略する。
【００５８】
本第４実施形態の差込ワッシャー１Ｄの特徴は、図９に示すように、同一形状に形成された一対のワッシャーピース６，６を組み合わせて構成される点にある。
【００５９】
各ワッシャーピース６は、図９および図１０に示すように、主として、雄ネジ部材２を挿通させる挿通孔１１と、この挿通孔１１を雄ネジ部材２に対して横から差し込むために開口された差込開口部１５と、ナット３に係合させるナット係合部１４と、組み合わせる相手方のワッシャーピース６を重ねた際に嵌り合う嵌合凹部１７および嵌合凸部１８とを有している。
【００６０】
本第４実施形態において、差込開口部１５は、挿通孔１１の位置で幅方向に分断開口されている。そして、この差込開口部１５を構成する両端部に他方のワッシャーピース６と相互に嵌合する嵌合凹部１７と嵌合凸部１８とがそれぞれ形成されている。嵌合凸部１８は、図９に示すように、差込開口部１５を構成する両端部の先端において軸線方向に突出するように構成されている。一方、嵌合凹部１７は、前記嵌合凸部１８の基端側において差込ワッシャーの厚さの半分より薄い厚さに形成されており、他方のワッシャーピースの嵌合凸部１８を嵌合しうる凹状に形成されている。
【００６１】
また、ナット係合部１４は、図１０に示すように、各ワッシャーピース６，６の上下面に形成されている。本第４実施形態において、ナット係合部１４は、差込開口部１５の周縁に沿って略円弧状に突出形成されており、その外周縁側から内周縁側に向けて下方傾斜された略テーパ状を構成している。そして、一対のワッシャーピース６，６を上下に重ねて組み合わせたとき、一方のワッシャーピース６の上面に形成されたナット係合部１４と、他方のワッシャーピース６の下面に形成されたナット係合部１４とが、挿入孔１１の周りに傾斜面がリング状に連続したナット係合部１４を構成するようになっている。
【００６２】
これにより、上面にはナット係合部１４が形成され、下面にはナット係合部１４と同一形状の隙間が形成される。下面側の隙間は差込ナット３を締め付けた際の弾力を奏する機能を兼ね備えることが可能である。なお、ナット係合部１４は、周方向に連続的に構成されているが、差込ナット３の締め付け力を保持し得れば、傾斜面が分断されている部分が存在しても構わない。
【００６３】
以上の構成を備えた本第４実施形態の差込ワッシャー１Ｄを被締結物Ｘと差込ナット３との間に介在させて締め付ける場合、まず、雄ネジ部材２に横から差込ワッシャー１Ｄを差し込んだ後、雄ネジ部材２に差込ナット３を螺合させる。このとき、それぞれのワッシャーピース６を互いの嵌合凹部１７および嵌合凸部１８が向かい合うように上下に差し込む。各ワッシャーピース６，６は、同一形状に形成されているため、作業者が取り違えることがなく作業効率が高い。
【００６４】
そして、各ワッシャーピース６，６を上下に重ね合わせると、一方のワッシャーピース６の嵌合凸部１８が、他方のワッシャーピース６の嵌合凹部１７に嵌合するとともに、他方のワッシャーピース６の嵌合凸部１８が一方のワッシャーピース６の嵌合凹部１７に嵌合する。このため、差込ワッシャー１Ｄは、水平方向へ拡げられる力が加わっても外れない。また、差込ナット３の締め付けに伴って、ナット係合部１４に拡開方向の力が加わっても外れないように作用する。
【００６５】
また、本第４実施形態では、図９に示すように、各ワッシャーピース６，６を組み合わせるだけで、それぞれの差込開口部１５が互いに閉じられるとともに、テーパ状傾斜面を備えたナット係合部１４が挿入孔１１の周りに連続的に構成される。
【００６６】
つぎに、差込ナット３を締め付け方向に回転させると、軸線方向に沿って下方に螺進し差込ワッシャー１Ｄに当接する。このため、ナット係合部１４のテーパ状傾斜面が、寸法公差に関係なく差込ナット３を軸心方向へ移動させるため、締め付け度合いを増大させ緩み止め効果を向上する。
【００６７】
さらに、差込ナット３を強く締め付けると、螺進しなくなった状態で締め付け作業が完了する。この状態では、図１０に示すように、差込ナット３の下面が差込ワッシャー１Ｄの上面に密着するとともに、差込ナット３のテーパ部３３がナット係合部１４に密着した状態で固定される。これにより、差込ワッシャー１Ｄと差込ナット３との間に発生する摩擦抵抗が高められ、緩み止め効果が向上する。
【００６８】
また、図１０に示すように、差込ナット３の固定位置は、差込ワッシャー１Ｄに対して、切り込み３２が各ワッシャーピース６，６の分割方向と直交する方向に位置されていることが緩み止め効果を高める点から好ましい。
【００６９】
また、本第４実施形態では、各ワッシャーピース６，６が同一形状に形成されているため、図１０に示すように、下面側のナット係合部１４が、被締結物Ｘとの間にアーチ状の空間を形成する。このため、締め付け完了時に、差込ワッシャー１Ｄの下面が被締結物Ｘ側に押し出されるようにして弾性変形することが可能である。この弾性力による差込ナット３への反発力によって、振動や衝撃に対する緩み止め効果がより一層向上する。
【００７０】
以上のような本第４実施形態によれば、第２実施形態の効果に加えて、以下のような効果を奏する。
１．各ワッシャーピース６を同一形状に構成するため、製造コストを低減し、作業効率を向上することができる。
２．ナット係合部１４を周方向に連続的に構成するため、緩み止め効果を向上することができる。
３．嵌合凹部１７と嵌合凸部１８とを係止することで、厚さが薄く、簡単な構造でありながら緩み止め効果の高いワッシャーを提供できる。
【００７１】
なお、本発明に係る差込ワッシャーは、前述した各実施形態に限定されるものではなく、適宜変更することができる。
【００７２】
例えば、上述した各実施形態では、外形が略円形の差込ワッシャー１Ａ，１Ｂ，１Ｃ，１Ｄについて説明したが、この構成に限られるものではなく、四角形等の差込ワッシャーであってもよい。
【符号の説明】
【００７３】
１Ａ，１Ｂ，１Ｃ，１Ｄ  差込ワッシャー
２  雄ネジ部材
３  ナット（差込ナット）
５  補助ワッシャー
６  ワッシャーピース
１１  挿通孔
１２  分断開閉部
１２ａ  膨拡凸部
１２ｂ  膨拡凹部
１３  開閉支点部
１４  ナット係合部
１５  差込開口部
１６  円弧状収容凹部
１７  嵌合凹部
１８  嵌合凸部
３１  薄肉部
３２  切り込み
３３  テーパ部
５１  補助側挿通孔
５２  補助側差込開口部
５３  補助側ナット係合部
５４  円弧状収容凸部
Ｘ  被締結物
【図１】
2010089894.tif 000003
【図２】
2010089894.tif 000004
【図３】
2010089894.tif 000005
【図４】
2010089894.tif 000006
【図５】
2010089894.tif 000007
【図６】
2010089894.tif 000008
【図７】
2010089894.tif 000009
【図８】
2010089894.tif 000010
【図９】
2010089894.tif 000011
【図１０】
2010089894.tif 000012
【国際調査報告】
2010089894.tif 000013
2010089894.tif 000014
2010089894.tif 000015
2010089894.tif 000016
2010089894.tif 000017
2010089894.tif 000018
2010089894.tif 000019